(57)【要約】【課題】  天井に吊下げられる物干し竿を簡潔構造で昇降する昇降式物干し装置を提供すること。【解決手段】  本発明の昇降式物干し装置１０は、物干し竿１１が取付けられる物干し竿取付部１２と、天井に固定される天井固定ブラケット１３に回転可能に吊下げられ、物干し竿取付部１２が回転可能に取付けられる回転アーム２４と、モータ駆動により物干し竿取付部１２を昇降させる昇降機構３０とを備え、昇降機構３０は、一方の端部が天井固定ブラケット１３に取付けられた駆動ローラ３３に固定されてから、物干し竿取付部１２の両端にそれぞれ取付けられるガイドローラ３４、３５に掛けられ、他方の端部が天井固定ブラケット１３に固定されるベルト４１の巻取り巻き戻しにより物干し竿取付部１２を昇降させることとした。【選択図】図１
2007289596.tif 000002
【特許請求の範囲】
【請求項１】
物干し竿が取付けられる物干し竿取付部と、天井に固定される物干し竿取付け用の天井固定ブラケットと、前記天井固定ブラケットに回転可能に吊下げられ、前記物干し竿取付部が回転可能に取付けられる回転アームと、モータ駆動により前記物干し竿取付部を昇降させる昇降機構とを備え、前記昇降機構は、一方の端部が前記天井固定ブラケットに取付けられた駆動ローラに固定されてから、前記物干し竿取付部の両端にそれぞれ取付けられるガイドローラに掛けられ、他方の端部が前記天井固定ブラケットに固定されるベルトまたはワイヤの巻取り巻き戻しにより前記物干し竿取付部を昇降させることを特徴とする昇降式物干し装置。
【請求項２】
前記ベルトまたはワイヤは、前記ガイドローラに掛けられてから、前記天井固定ブラケットに取付けられたガイドローラと、前記回転アームの中央部に取付けられるガイドローラとに掛けられてから他方の端部が前記天井固定ブラケットに固定されることを特徴とする請求項１に記載の昇降引出装置。
【請求項３】
物干し竿が取付けられる物干し竿取付部と、天井に固定される物干し竿取付け用の天井固定ブラケットと、前記天井固定ブラケットに吊下げられ、前記物干し竿取付部が取付けられるパンタグラフ機構と、モータ駆動により前記物干し竿取付部を昇降させる昇降機構とを備え、前記昇降機構は、前記天井固定ブラケットに取付けられた駆動ローラに挟まれ固定され、一方の端部が前記物干し竿取付部に固定され、他方の端部が水平方向に伸び前記天井固定ブラケットに取付けられたガイドローラに掛けられてからもう一方の前記物干し竿取付部に固定されるベルトまたはワイヤの巻取り巻き戻しにより前記物干し竿取付部を昇降させることを特徴とする昇降式物干し装置。
【請求項４】
前記物干し竿取付部に固定され前記物干し竿が取付けられる竿受部は、取付けられた前記物干し竿に過負荷が下方にかかったとき、下方に取除かれることを特徴とする請求項１または３に記載の昇降引出装置。
【請求項５】
前記天井固定ブラケットは、内側上面に小型のファンが取付けられることを特徴とする請求項１または３に記載の昇降引出装置。
【発明の詳細な説明】
【技術分野】
【０００１】  本発明は、天井に吊下げられる物干し竿を簡潔構造で昇降する昇降式物干し装置に関する。
【背景技術】
【０００２】  従来の昇降式物干し装置には、天井に固定される天井固定ブラケットにパンタグラフが釣下げられ、物干し竿が取付けられる物干し竿取付部がパンタグラフに取付けられ、物干し竿取付部をモータ駆動により昇降させるものがある（例えば、特許文献１参照）。【０００３】
【特許文献１】  特開平０６−１１２４９５号公報
【発明の開示】
【発明が解決しようとする課題】
【０００４】  しかしながら、従来の昇降式物干し装置は、パンタグラフの機構を使用しており、さらに、モータ駆動により物干し竿が取付けられる物干し竿取付部を昇降させる昇降機構は、駆動ローラと複数のガイドローラにベルトを掛け昇降させるため構造が複雑であるという問題があった。
本発明は、上記に鑑みてなされたものであって、天井に吊下げられる物干し竿を簡潔構造で昇降する昇降式物干し装置を提供することを目的とする。
【課題を解決するための手段】
【０００５】  本発明の昇降式物干し装置は、物干し竿が取付けられる物干し竿取付部と、天井に固定される物干し竿取付け用の天井固定ブラケットと、前記天井固定ブラケットに回転可能に吊下げられ、前記物干し竿取付部が回転可能に取付けられる回転アームと、モータ駆動により前記物干し竿取付部を昇降させる昇降機構とを備え、前記昇降機構は、一方の端部が前記天井固定ブラケットに取付けられた駆動ローラに固定されてから、前記物干し竿取付部の両端にそれぞれ取付けられるガイドローラに掛けられ、他方の端部が前記天井固定ブラケットに固定されるベルトまたはワイヤの巻取り巻き戻しにより前記物干し竿取付部を昇降させることとした。
また、前記ベルトまたはワイヤは、前記ガイドローラに掛けられてから、前記天井固定ブラケットに取付けられたガイドローラと、前記回転アームの中央部に取付けられるガイドローラとに掛けられてから他方の端部が前記天井固定ブラケットに固定されることとした。
また、本発明の昇降式物干し装置は、物干し竿が取付けられる物干し竿取付部と、天井に固定される物干し竿取付け用の天井固定ブラケットと、前記天井固定ブラケットに吊下げられ、前記物干し竿取付部が取付けられるパンタグラフ機構と、モータ駆動により前記物干し竿取付部を昇降させる昇降機構とを備え、前記昇降機構は、前記天井固定ブラケットに取付けられた駆動ローラに挟まれ固定され、一方の端部が前記物干し竿取付部に固定され、他方の端部が水平方向に伸び前記天井固定ブラケットに取付けられたガイドローラに掛けられてからもう一方の前記物干し竿取付部に固定されるベルトまたはワイヤの巻取り巻き戻しにより前記物干し竿取付部を昇降させることとした。
前記物干し竿取付部に固定され前記物干し竿が取付けられる竿受部は、取付けられた前記物干し竿に過負荷が下方にかかったとき、下方に取除かれることとした。
さらに、前記天井固定ブラケットは、内側上面に小型のファンが取付けられることとした。
【発明の効果】
【０００６】  本発明の昇降式物干し装置は、物干し竿が取付けられる物干し竿取付部と、天井に固定される物干し竿取付け用の天井固定ブラケットと、前記天井固定ブラケットに回転可能に吊下げられ、前記物干し竿取付部が回転可能に取付けられる回転アームと、モータ駆動により前記物干し竿取付部を昇降させる昇降機構とを備え、前記昇降機構は、一方の端部が前記天井固定ブラケットに取付けられた駆動ローラに固定されてから、前記物干し竿取付部の両端にそれぞれ取付けられるガイドローラに掛けられ、他方の端部が前記天井固定ブラケットに固定されるベルトまたはワイヤの巻取り巻き戻しにより前記物干し竿取付部を昇降させることとしたため、物干し竿を簡潔構造で昇降することができ、物干し竿に洗濯ものなどを容易に装着することができ、さらに物干し竿取付部は斜となって下降するため、一層洗濯ものなどの装着を容易にすることができる。
また、前記ベルトまたはワイヤは、前記ガイドローラに掛けられてから、前記天井固定ブラケットに取付けられたガイドローラと、前記回転アームの中央部に取付けられるガイドローラとに掛けられてから他方の端部が前記天井固定ブラケットに固定されることとしたため、さらに効率的に物干し竿を昇降することができる。
また、本発明の昇降式物干し装置は、物干し竿が取付けられる物干し竿取付部と、天井に固定される物干し竿取付け用の天井固定ブラケットと、前記天井固定ブラケットに吊下げられ、前記物干し竿取付部が取付けられるパンタグラフ機構と、モータ駆動により前記物干し竿取付部を昇降させる昇降機構とを備え、前記昇降機構は、前記天井固定ブラケットに取付けられた駆動ローラに挟まれ固定され、一方の端部が前記物干し竿取付部に固定され、他方の端部が水平方向に伸び前記天井固定ブラケットに取付けられたガイドローラに掛けられてからもう一方の前記物干し竿取付部に固定されるベルトまたはワイヤの巻取り巻き戻しにより前記物干し竿取付部を昇降させることとしたため、駆動ローラとガイドローラとベルトとの簡潔な昇降機構で物干し竿を昇降することができ、物干し竿に洗濯ものなどを容易に装着することができる。
前記物干し竿取付部に固定され前記物干し竿が取付けられる竿受部は、取付けられた前記物干し竿に過負荷が下方にかかったとき、下方に取除かれることとしたため、過負荷がかかったとき、物干し竿を下方に取除くことができ、安全性の向上に寄与するとともに、装置の保護も行うことができる。
さらに、前記天井固定ブラケットは、内側上面に小型のファンが取付けられることとしたため、物干し竿に取付けられる洗濯ものなどをより早くに乾燥することができる。
【発明を実施するための最良の形態】
【０００７】  以下、本発明の実施の形態の昇降引出装置につき説明する。
【実施例１】
【０００８】  図１は、本発明の第１の実施の形態の昇降式物干し装置の斜視図を示す。
図１に示すように、本発明の実施の形態の昇降式物干し装置１０は、物干し竿１１が取付けられる物干し竿取付部１２と、天井に固定される物干し竿取付け用の下方が開口した天井固定ブラケット１３と、天井固定ブラケット１３に吊下げられ物干し竿取付部１２が取付けられるリング機構２０と、モータ駆動により物干し竿取付部１２を昇降させる昇降機構３０とで構成されている。物干し竿取付部１２の下側には竿受部１２ａが取付けられ、物干し竿１１は、竿受部１２ａに装着することができる。
リング機構２０は、回転アーム２４を備え、回転アーム２４は一方の端部が天井固定ブラケット１３に固定された取付部２１に回転可能に取付けられ、他方の端部が物干し竿取付部１２に回転可能に取付けられている。【０００９】  昇降機構３０は、天井固定ブラケット１３の内側左右中央に駆動モータ３１が取付けられ、駆動モータ３１は、ＤＣモータ３１ａと、ＤＣモータ３１ａの回転数を減速しトルクを増大する減速器３１ｂとにより構成され、減速器３１ｂに回転軸３２が連結している。回転軸３２には駆動ローラ３３が取付けられ、第１のガイドローラ３４と、第２のガイドローラ３５とが物干し竿取付部１２の端部に取付けられ、第３のガイドローラ３６が天井固定ブラケット１３の内側に取付けられ、第４のガイドローラ３７が回転アーム２４の中央部に取付けられている。
ベルト４１は、駆動ローラ３３に一方の端部が固定され、第１のガイドローラ３４と、第２のガイドローラ３５と、第３のガイドローラ３６とに掛けられ第４のガイドローラ３７で折返されて他方の端部が天井固定ブラケット１３の内側に固定されたベルト係止ピン３８に固定されている。駆動モータ３１の反対側の回転軸３２にも同様の機構が取付けられている。
駆動モータ３１は、上昇スイッチ４９ａと下降スイッチ４９ｂとを有する壁面などに設けられる操作スイッチ４９に接続し、上昇スイッチ４９ａが操作されると正転作動し、駆動ローラ３３がベルト４１を巻き付け、下降スイッチ４９ｂが操作されると逆転作動し、駆動ローラ３３を逆転回動させ駆動ローラ３３に巻かれているベルト４１は巻きが解かれる。そのため、操作スイッチ４９が操作され、駆動モータ３１が駆動して回転軸３２が回動すると、駆動ローラ３３によりベルト４１の巻取り巻戻が行われ、物干し竿取付部１２を昇降することができる。【００１０】  次に、本発明の第１の実施の形態の昇降式物干し装置１０の動作につき説明する。
図２は、本発明の第１の実施の形態の昇降式物干し装置の側面図を示し、図２（ａ）は、昇降式物干し装置の物干し竿取付部が上昇したときの側面図を示し、図２（ｂ）は、昇降式物干し装置の物干し竿取付部が途中まで下降したときの側面図を示し、図２（ｃ）は、昇降式物干し装置の物干し竿取付部が下降したときの側面図を示す。
図２（ａ）に示すように、操作スイッチ４９の上昇スイッチ４９ａが操作されたときには、駆動モータ３１が作動して駆動ローラ３３が矢印Ｕに示すように回動し、駆動ローラ３３に一方の端部が固定され第１のガイドローラ３４と、第２のガイドローラ３５と、第３のガイドローラ３６とに掛けられ第４のガイドローラ３７で折返されて他方の端部が天井固定ブラケット１３の内側に固定されたベルト係止ピン３８に固定されたベルト４１が巻き上げられて物干し竿取付部１２は上昇している。
図２（ｂ）に示すように、下降スイッチ４９ｂが操作されると駆動ローラ３３が逆転回動して駆動ローラ３３に巻かれているベルト４１は巻きが解かれる。そのため、駆動ローラ３３によりベルト４１の巻戻が行われ、回転アーム２４と物干し竿取付部１２とが斜めとなって下降する。
図２（ｃ）に示すように、下降スイッチ４９ｂが続けて操作されると駆動ローラ３３が逆転回動して駆動ローラ３３に巻かれているベルト４１はさらに巻きが解かれる。そのため、駆動ローラ３３によりベルト４１の巻戻がさらに行われ、回転アーム２４と、物干し竿１１を竿受部１２ａにより装着する物干し竿取付部１２とが所定の角度で回転が阻止され斜めとなって下降する。【００１１】  以上述べたように、本発明の第１の実施の形態の昇降式物干し装置１０は、上記したリング機構２０と昇降機構３０とにより、物干し竿１１を簡潔構造で昇降することができ、物干し竿１１に洗濯ものなどを容易に装着することができ、さらに物干し竿取付部１２は斜めとなって下降するため、一層洗濯ものなどの装着を容易にすることができる。
なお、物干し竿取付部１２の下降する位置は、操作スイッチ４９の操作により任意に位置にすることができ、洗濯ものなどを装着する人に適した高さにすることができる。
また、ベルト４１は、駆動ローラ３３に一方の端部が固定され、第１のガイドローラ３４と、第２のガイドローラ３５と、第３のガイドローラ３６とに掛けられ第４のガイドローラ３７で折返されて他方の端部がベルト係止ピン３８に固定することとしたが、駆動ローラ３３に一方の端部が固定され、第１のガイドローラ３４と、第２のガイドローラ３５と、第３のガイドローラ３６とに掛けられ他方の端部を天井固定ブラケット１３の内側に固定することもできる。
さらに、駆動モータ３１は、減速器３１ｂを介し、ＤＣモータ３１ａの回転軸と回転軸３２とが直角になるように取付けているが、物干し竿１１の取付け間隔が狭い場合などには、ＤＣモータ３１ａの回転軸と回転軸３２とが平行になるように減速器を介し取付けることもできる。
【実施例２】
【００１２】  図３は、本発明の第２の実施の形態の昇降式物干し装置の斜視図を示す。
図３に示すように、本発明の第２の実施の形態の昇降式物干し装置５０は、物干し竿１１が取付けられる物干し竿取付部５２と、天井に固定される物干し竿取付け用の下方が開口した天井固定ブラケット５３と、天井固定ブラケット５３に吊下げられ物干し竿取付部５２が取付けられるパンタグラフ機構６０と、モータ駆動により物干し竿取付部５２を昇降させる昇降機構７０とで構成されている。物干し竿取付部５２の下側には竿受部５２ａが取付けられ、物干し竿１１は、竿受部５２ａに装着することができる。
パンタグラフ機構６０は、上方の端部が天井固定ブラケット５３の側面にピン６１を介しスリット穴６２に取付けられ、下方の端部が物干し竿取付部５２にピン６３を介しスリット穴６４に取付けられ、上下方向に伸縮可能に取付けられている。また、パンタグラフ機構６０は、左右に対向して天井固定ブラケット５３の両側面に取付けられている。【００１３】  昇降機構７０は、天井固定ブラケット５３の側面側に駆動モータ７１が取付けられ、駆動モータ７１は、ＤＣモータ７１ａと、ＤＣモータ７１ａの回転数を減速しトルクを増大する減速器７１ｂとにより構成されている。駆動モータ７１の減速器７１ｂには、駆動ローラ７３が取付けられ、天井固定ブラケット５３の反対の側面側にはガイドローラ５４が取付けられている。
ベルト５５は、駆動ローラ７３のスリット７３ａに挟まれて固定され、スリット７３ａに挟まれて固定された一方のベルト５５ａが垂直下方に伸び、物干し竿取付部５２の内側に固定され、スリット７３ａに挟まれて固定された他方のベルト５５ｂが水平方向に伸びガイドローラ５４に掛けられて垂直下方に伸び、他方の物干し竿取付部５２の内側に固定されている。
駆動モータ７１は、上昇スイッチ５９ａと下降スイッチ５９ｂとを有する壁面などに設けられる操作スイッチ５９に接続し、上昇スイッチ５９ａが操作されると正転作動し、駆動ローラ７３がベルト５５を巻き付け、下降スイッチ５９ｂが操作されると逆転作動し、駆動ローラ７３を逆転回動させ駆動ローラ７３に巻かれているベルト５５は巻きが解かれる。そのため、操作スイッチ５９が操作されるとき、駆動モータ７１が駆動して駆動ローラ７３によりベルト５５の巻取り巻戻が行われ、物干し竿取付部５２を昇降することができる。【００１４】  以上述べたように、本発明の第２の実施の形態の昇降式物干し装置５０は、上記したパンタグラフ機構６０と、駆動ローラ７３とガイドローラ５４とでベルト５５を駆動する昇降機構７０との簡潔構造により、物干し竿１１を昇降することができ、物干し竿１１に洗濯ものなどを容易に装着することができる。
なお、物干し竿取付部５２の下降する位置は、操作スイッチ５９の操作により任意に位置にすることができ、洗濯ものなどを装着する人に適した高さにすることができる。
【実施例３】
【００１５】  図４は、本発明の実施の形態の昇降式物干し装置に取付ける竿受部の他の実施例の側面図を示し、図４（ａ）は、引掛式の竿受部の側面図を示し、図４（ｂ）は、両挟式の竿受部の側面図を示し、図４（ｃ）は、スプリング使用の両挟式の竿受部の側面図を示す。
図４（ａ）に示すように、引掛式の竿受部８１は、側面がＪ形状をし取付部８２により物干し竿取付部１２、５２に固定され、物干し竿１１を装着することができるが、弾性体で形成されているため、物干し竿１１の下方に過負荷がかかったとき、物干し竿１１を下方に取除くことができる。
図４（ｂ）に示すように、両挟式の竿受部８３は、物干し竿１１を挟み保持するよう下端が互いに内側を向いた挟み部８３ａ、８３ｂで形成され取付部８４により物干し竿取付部１２、５２に固定され、物干し竿１１を装着することができるが、挟み部８３ａ、８３ｂが弾性体で形成されているため、物干し竿１１の下方に過負荷がかかったとき、物干し竿１１を下方に取除くことができる。
図４（ｃ）に示すように、スプリング使用の両挟式の竿受部８５は、物干し竿１１を挟み保持するよう下端が互いに内側を向きスプリング８７で内側に引張られピン８８により回転可能の挟み部８５ａ、８５ｂで形成され、取付部８６により物干し竿取付部１２、５２に固定され、物干し竿１１を装着することができるが、挟み部８３ａ、８３ｂが回転可能で互いに内側に引張られているため、物干し竿１１の下方に過負荷がかかったとき、物干し竿１１を下方に取除くことができる。
そのため、上記した他の実施例の竿受部は、物干し竿１１に子供や物が挟まったり吊下がったりの過負荷がかかったとき、物干し竿１１を下方に取除くことができ、安全性の向上に寄与するとともに、装置の保護も行うことができる。
【実施例４】
【００１６】  図５は、本発明の実施の形態の昇降式物干し装置に取付けるファンの斜視図を示す。
図５に示すように、この実施例では、昇降式物干し装置の天井固定ブラケット１３、５３の内側上面に小型のファン９１が取付けられている。小型のファン９１は、複数取付けることが可能で、矢印９２に示すように下方に向け送風を行うことができ、物干し竿１１に取付けられる洗濯ものなどをより早く乾燥することができる。【００１７】  なお、本発明の実施の形態の昇降式物干し装置は、昇降機構にベルトを使用することとしたが、ワイヤなどを使用することもできる。
【図面の簡単な説明】
【００１８】
【図１】  本発明の第１の実施の形態の昇降式物干し装置の斜視図を示す。
【図２】  本発明の第１の実施の形態の昇降式物干し装置の側面図を示し、図２（ａ）は、昇降式物干し装置の物干し竿取付部が上昇したときの側面図を示し、図２（ｂ）は、昇降式物干し装置の物干し竿取付部が途中まで下降したときの側面図を示し、図２（ｃ）は、昇降式物干し装置の物干し竿取付部が下降したときの側面図を示す。
【図３】  本発明の第２の実施の形態の昇降式物干し装置の斜視図を示す。
【図４】  本発明の実施の形態の昇降式物干し装置に取付ける竿受部の他の実施例の側面図を示し、図４（ａ）は、引掛式の竿受部の側面図を示し、図４（ｂ）は、両挟式の竿受部の側面図を示し、図４（ｃ）は、スプリング使用の両挟式の竿受部の側面図を示す。
【図５】  本発明の実施の形態の昇降式物干し装置に取付けるファンの斜視図を示す。
【符号の説明】
【００１９】１０、５０  昇降式物干し装置
１１  物干し竿
１２、５２  物干し竿取付部
１２ａ、５２ａ  竿受部
１３、５３  天井固定ブラケット
２０  リング機構
２４  回転アーム
３０、７０  昇降機構
３１、７１  駆動モータ
３２  回転軸
３３、７３  駆動ローラ
３４  第１のガイドローラ
３５  第２のガイドローラ
３６  第３のガイドローラ
３７  第４のガイドローラ
４１、５５  ベルト
４９、５９  操作スイッチ
５４  ガイドローラ
６０  パンタグラフ機構
８１  引掛式の竿受部
８３  両挟式の竿受部
８５  スプリング使用の両挟式の竿受部
９１  小型のファン
【図１】
2007289596.tif 000003
【図２】
2007289596.tif 000004
【図３】
2007289596.tif 000005
【図４】
2007289596.tif 000006
【図５】
2007289596.tif 000007